(57)【要約】【課題】腰に提げた状態のまま収納される電子機器の操作を行うことができる電子機器収納ケースを提供する。【解決手段】電子機器を収納するケース本体１０と、ケース本体１０を人体に装着可能な装着部２０とを備える電子機器収納ケースであって、ケース本体１０を装着部２０に対して回動自在に連結する第１連結具２５と、ケース本体１０を装着部２０に対して着脱自在に連結する第２連結具２６とを備えている電子機器収納ケース。【選択図】  図１
2007059669.tif 000002
【特許請求の範囲】
【請求項１】
電子機器を収納するケース本体と、該ケース本体を人体に装着可能な装着部とを備える電子機器収納ケースであって、
前記ケース本体を前記装着部に対して回動自在に連結する第１連結具と、
前記ケース本体を前記装着部に対して着脱自在に連結する第２連結具とを備えている電子機器収納ケース。
【請求項２】
前記装着部は、ベルトを挿通可能なベルト通し部を備えており、
前記第１連結具および第２連結具は、前記ベルト通し部を挟んで両側にそれぞれ配置されている請求項１に記載の電子機器収納ケース。
【請求項３】
前記ケース本体は、収納部および蓋部を備えており、
前記収納部および蓋部は、接続部を介して接続されることにより開閉自在に構成されており、
前記装着部は、前記収納部の裏面側に配置されており、
前記第１連結具は、連結した状態で前記収納部の裏面側において前記接続部の反対側に配置されている請求項１または２に記載の電子機器収納ケース。
【請求項４】
前記第１連結具および第２連結具は、それぞれ雌雄一対のスナップボタンである請求項１から３のいずれかに記載の電子機器収納ケース。
【発明の詳細な説明】
【技術分野】
【０００１】
本発明は、電子辞書、携帯パソコン、携帯電話等の電子機器を収納する電子機器収納ケースに関する。
【背景技術】
【０００２】
従来、携帯電話等の電子機器を携帯する場合、例えば、特許文献１に開示されているような携帯用ケースが使用されることが多い。
【０００３】
この携帯用ケース１００は、図８の斜視図に示すように、電子機器を収納する収納部１０１と、ベルトに装着可能な係着手段１１０とを備えている。収納部１０１は、係着手段１１０の上端側においてスナップ１１５を介して当該係着手段１１０と回動可能となるように取り付けられている。
【０００４】
このように構成された携帯用ケース１００によれば、収納部１０１に電子機器を収納して、腰に提げた状態で椅子等に腰掛ける場合において、図９に示すように収納部１０１を回動させることによって、収納部１０１が身体の屈伸を妨げることを回避することができる。
【特許文献１】特開平８−３２２６２９号公報
【発明の開示】
【発明が解決しようとする課題】
【０００５】
しかしながら、特許文献１に開示されている携帯用ケースに携帯電話等の電子機器を収納し、当該携帯用ケースを腰に提げた場合において、収納されている電子機器の操作を行うには、使用者は、収納部から電子機器をわざわざ取り出して操作を行わなければならず、作業性が悪いという問題があった。
【０００６】
本発明は、このような問題を解決すべくなされたものであって、腰に提げた状態のまま収納される電子機器の操作を行うことができる電子機器収納ケースの提供を目的とする。
【課題を解決するための手段】
【０００７】
本発明の上記目的は、電子機器を収納するケース本体と、該ケース本体を人体に装着可能な装着部とを備える電子機器収納ケースであって、前記ケース本体を前記装着部に対して回動自在に連結する第１連結具と、前記ケース本体を前記装着部に対して着脱自在に連結する第２連結具とを備えている電子機器収納ケースにより達成される。
【０００８】
この電子機器収納ケースにおいて、前記装着部は、ベルトを挿通可能なベルト通し部を備えており、前記第１連結具および第２連結具は、前記ベルト通し部を挟んで両側にそれぞれ配置されていることが好ましい。
【０００９】
また、前記ケース本体は、収納部および蓋部を備えており、前記収納部および蓋部は、接続部を介して接続されることにより開閉自在に構成されており、前記装着部は、前記収納部の裏面側に配置されており、前記第１連結具は、連結した状態で前記収納部の裏面側において前記接続部の反対側に配置されていることが好ましい。
【００１０】
また、前記第１連結具および第２連結具は、それぞれ雌雄一対のスナップボタンであることが好ましい。
【発明の効果】
【００１１】
本発明によれば、腰に提げた状態のまま収納される電子機器の操作を行うことができる電子機器収納ケースを提供することができる。
【発明を実施するための最良の形態】
【００１２】
以下、本発明の電子機器収納ケースについて図１および図２を参照して説明する。図１は本発明の一実施形態に係る電子機器収納ケースの斜視図、図２は電子機器収納ケースの側面図を示している。この電子機器収納ケース１は、図１に示すように、ケース本体１０と、装着部２０とを備えている。
【００１３】
ケース本体１０は、電子辞書、携帯パソコン、携帯電話、テスターなどの電子機器を収納可能に構成されており、その内面の形状や大きさが、収納する電子機器の外面形状や大きさに略一致するように形成されている。ケース本体１０の材質としては、例えば、皮革や布地、合成樹脂などが用いられている。本実施形態においては、ケース本体１０の形状として、電子辞書を収納するのに適する形状を例示している。このケース本体１０は、収納部１１および蓋部１２を備えており、これらが接続部１３を介して接続されることにより開閉自在に構成されている。また、収納部１１および蓋部１２の周縁部には、ファスナーなどの係着手段１４が設けられている。ケース本体１０の内部には、電子機器を固定可能な図示しない固定手段が設けられている。この固定手段としては、例えば、粘着シールやベルトなどを例示することができる。  
【００１４】
装着部２０は、ケース本体１０を人体に装着する部材であり、図１および図２に示すように、ケース本体１０の収納部１１の裏面側１１ａの略中央部に配置されており、ベルトを挿通可能なベルト通し部２１が設けられている。この装着部２０の材質としては、例えば、皮革、布地、合成樹脂、金属素材などが用いられている。
【００１５】
ケース本体１０と装着部２０とは、図２に示すように、第１連結具２５および第２連結具２６により連結されている。第１連結具２５および第２連結具２６は、ベルト通し部２１を挟んで両側にそれぞれ配置されている。また、第１連結具２５は、ケース本体１０と装着部２０とを連結した状態で収納部１１の裏面側１１ａにおいて接続部１３の反対側に位置するように配置されている。
【００１６】
第１連結具２５および第２連結具２６は、それぞれ、雌雄一対のスナップボタン２５ａ，２５ｂ、２６ａ，２６ｂにより構成されている。各雌型スナップボタン２５ａ，２６ａの係合凹部および各雄型スナップボタン２５ｂ，２６ｂの係合突部は、それぞれ断面円形に形成されている。各雌型スナップボタン２５ａ，２６ａは収納部１１の裏面側１１ａに固定されており、各雄型スナップボタン２５ｂ，２６ｂは装着部２０に固定されている。各雌型スナップボタン２５ａ，２６ａは、各雄型スナップボタン２５ｂ，２６ｂに対して回動自在且つ着脱自在に係合可能に構成されている。このような構成により、第１連結具２５および第２連結具２６は、それぞれ、ケース本体１０を装着部２０に対して回動自在かつ着脱自在となるように連結することが可能になる。
【００１７】
次に、本実施形態に係る電子機器収納ケース１を使用する方法について図２から図５を用いて説明する。まず、ケース本体１０に設けられている係着手段１４を操作してケース本体１０を開き、図示しない固定手段を介して電子機器をケース本体１０の内部に固定し、係着手段１４を閉じて、電子機器をケース本体１０に収納する。そして、装着部２０に設けられているベルト通し部２１に図示しないベルトを挿通し、当該ベルトを使用者の腰に設置する。電子機器収納ケース１を使用者に装着した状態においては、図２に示すように、第１連結具２５がベルト通し部２１に対して足側（矢示Ｂ側）に、第２連結具２６がベルト通し部２１に対して頭側（矢示Ａ側）になるように配置されている。
【００１８】
電子機器が収納されているケース本体１０は、二つの連結具（第１連結具２５および第２連結具２６）を介してベルトに装着される装着部２０に固定されているため、電子機器が収納されているケース本体１０を使用者の腰部に安定的に固定することが可能となる。これにより、例えば、歩行時や何らかの作業を行っている場合において、ケース本体１０が勝手に動いて使用者の動作を妨げてしまうことを回避することができる。
【００１９】
次に、ケース本体１０に収納されている電子機器の操作を行うには、まず、図３に示すように、第２連結具２６の雌型スナップボタン２６ａと雄型スナップボタン２６ｂとの係合を装着部２０とケース本体１０とを引き離すようにして解除する。そして、図４に示すように、第１連結具２５を軸にして、第２連結具２６の雌型スナップボタン２６ａが第１連結具２５に対して足側（矢示Ｂ側）となるように、ケース本体１０を装着部２０に対して回動させ、ケース本体１０が使用者の腰部から離れた状態になるようにする。
【００２０】
第１連結具２５および第２連結具２６は、ベルト通し部２１を挟んで両側に配置されているため、第２連結具２６の連結を解除し、第１連結具２５を軸としてケース本体１０を回動させることにより、ベルト通し部２１の幅に対応する長さ（挿通されるベルトの幅方向の長さ）分、ケース本体１０を使用者の腰部から離れた状態にすることができる。
【００２１】
その後、図５に示すように、ケース本体１０に設けられている係着手段１４を操作してケース本体１０を開き、当該ケース本体１０の内部に固定されている電子機器（図示せず）を露出させて操作を行う。
【００２２】
このように、本実施形態に係る電子機器収納ケース１によれば、第２連結具２６の雌型スナップボタン２６ａと雄型スナップボタン２６ｂとの係合を解除し、第１連結具２５を軸にしてケース本体１０を回動させることにより、電子機器が収納されているケース本体１０を装着部２０に連結しつつ、当該ケース本体１０を使用者の身体から離れた状態にすることができる。この結果、使用者は、ケース本体１０から電子機器をわざわざ取り出すことなく、電子機器収納ケース１を使用者の腰に提げ、電子機器を収納した状態のまま、自然な姿勢で電子機器の操作等を行うことができる。
【００２３】
また、電子機器の操作中において、電子機器が固定されているケース本体１０は、ベルトに装着されている装着部２０に第１連結具２５を介して固定されているため、電子機器を誤って落下させて破損させてしまうなどの不具合が発生することも回避することができる。
【００２４】
また、電子機器収納ケース１を腰に提げた状態で椅子等に腰掛ける場合においても、第２連結具２６の雌型スナップボタン２６ａと雄型スナップボタン２６ｂとの係合を解除し、第１連結具２５を軸にしてケース本体１０を回動させることにより、電子機器が収納されているケース本体１０を使用者の身体から離すことができるため、ケース本体１０が使用者の身体の屈伸動作を妨げないようにすることができる。
【００２５】
また、電子機器収納ケース１を腰に提げた状態で椅子等に腰掛けて、太ももの上などにケース本体１０を載せて当該ケース本体１０に収納されている電子機器を操作する場合において、ケース本体１０は、ベルトに装着されている装着部２０に第１連結具２５によって固定されているため、ケース本体１０が移動しないように手で押えることなく、両手で電子機器の操作を行うことが可能となる。
【００２６】
また、本実施形態においては、ケース本体１０の収納部１１および蓋部１２は、接続部１３を介して接続されることにより開閉自在に構成されると共に、装着部２０は収納部１１の裏面側１１ａに配置され、第１連結具２５は、収納部１１の裏面側１１ａにおいて接続部１３の反対側に配置されている。このような構成により、第２連結具２６によるケース本体１０と装着部２０との連結を解除し、第１連結具２５を軸としてケース本体１０を回動させて、ケース本体１０を使用者の身体から離した場合に、ケース本体１０を使用者の身体の方に向けて開くことが可能となり、使用者は、ケース本体１０に収納されている電子機器を容易に操作することができる。
【００２７】
また、本実施形態においては、第１連結具２５および第２連結具２６を構成する各雌型スナップボタン２５ａ，２６ａは、各雄型スナップボタン２５ｂ，２６ｂに対して回動自在且つ着脱自在に係合可能に構成されているため、装着部２０の向きを気にすることなく当該装着部２０をケース本体１０に取り付けることが可能であり、電子機器収納ケース１の取り扱い性を向上させることができる。
【００２８】
以上、本発明の一実施形態について説明したが、本発明の具体的な態様は上記実施形態に限定されない。例えば、図６に示すように、装着部２０に設けられているベルト通し部２１の一部を開閉できるように構成してもよい。このような構成により、ベルトを人体の腰に設置した状態のままで装着部２０をベルトに装着することができ、電子機器収納ケース１の取り扱い性を向上させることができる。
【００２９】
また、本実施形態においては、装着部２０にベルト通し部２１を設けてベルトを挿通できるように構成しているが、このような構成に特に限定されず、例えば、図７に示すように、装着部２０に金属や樹脂素材などにより成形したハンガー部２２を設けてベルトに吊り下げることができるように構成してもよい。
【００３０】
また、装着部２０をベルト状に構成し、腰や腕、太ももなどに巻回できるように構成してもよい。
【００３１】
また、本実施形態においては、第１連結具２５および第２連結具２６の各雌型スナップボタン２５ａ，２６ａを収納部１１の裏面側１１ａに固定し、各雄型スナップボタン２５ｂ，２６ｂを装着部２０に固定する構成を採用しているが、例えば、各雌型スナップボタン２５ａ，２６ａを装着部２０に固定し、各雄型スナップボタン２５ｂ，２６ｂを収納部１１の裏面側１１ａに固定してもよい。また、各雌型スナップボタン２５ａ，２６ａをそれぞれ収納部１１の裏面側１１ａと装着部２０に固定し、各雄型スナップボタン２５ｂ，２６ｂをそれぞれ装着部２０と収納部１１の裏面側１１ａに固定する構成を採用してもよい。
【００３２】
また、本実施形態においては、第１連結具２５および第２連結具２６は、それぞれ、ケース本体１０を装着部２０に対して回動自在かつ着脱自在となるように構成されているが、例えば、ケース本体１０を装着部２０に対して回動自在にのみ連結するように第１連結具２５を構成し、ケース本体１０を装着部２０に対して着脱自在にのみ連結するように第２連結具２６を構成してもよい。このような構成であっても、電子機器が収納されているケース本体１０を使用者の身体に確実に固定することができると共に、第２連結具２６によるケース本体１０と装着部２０との連結を解除し、第１連結具２５を軸としてケース本体１０を回動させることにより、当該ケース本体１０を使用者の身体から離れた状態にすることができる。この結果、電子機器収納ケース１を使用者の腰に提げ、電子機器を収納した状態のまま、自然な姿勢で電子機器の操作等を行うことができる。
【００３３】
また、本実施形態においては、ケース本体１０は収納部１１と蓋部１２とを備え、電子辞書を収納するのに適する形状となるように構成されているが、このような構成に特に限定されず、例えば、開口を有する筒状にケース本体１０を形成し、携帯電話を収納するのに適する形状とすることもできる。
【図面の簡単な説明】
【００３４】
【図１】本発明の一実施形態に係る電子機器収納ケースの斜視図である。
【図２】図１に示す電子機器収納ケースの側面図である。
【図３】図１に示す電子機器収納ケースの使用方法を説明する説明図である。
【図４】図１に示す電子機器収納ケースの使用方法を説明する説明図である。
【図５】図１に示す電子機器収納ケースの使用方法を説明する説明図である。
【図６】図１に示す電子機器収納ケースの他の実施例を示す側面図である。
【図７】図１に示す電子機器収納ケースの他の実施例を示す側面図である。
【図８】従来の携帯用ケースを示す斜視図である。
【図９】従来の携帯用ケースの使用例を説明する説明図である。
【符号の説明】
【００３５】
１    電子機器収納ケース
１０  ケース本体
１１  収納部
１２  蓋部
１３  接続部
１４  係着手段
２０  装着部
２１  ベルト通し部
２５  第１連結具
２６  第２連結具
２５ａ，２６ａ  雌型スナップボタン
２５ｂ，２６ｂ  雄型スナップボタン
【図１】
2007059669.tif 000003
【図２】
2007059669.tif 000004
【図３】
2007059669.tif 000005
【図４】
2007059669.tif 000006
【図５】
2007059669.tif 000007
【図６】
2007059669.tif 000008
【図７】
2007059669.tif 000009
【図８】
2007059669.tif 000010
【図９】
2007059669.tif 000011